(57)【特許請求の範囲】
【請求項１】
観察対象及び背景の照明方法であって、
等色関数を定め、該等色関数からｘｙ色度図を求めるステップと、
該観察対象及び該背景を、フィルタを付けていないキセノン光源で照射した状態で、該観察対象について波長と分光放射輝度との関係を求め、該観察対象の波長に関する分光放射輝度の極大値に対応する波長から一つまたは複数の代表波長を定めるステップと、
該代表波長及び該ｘｙ色度図から該観察対象及び該背景のコントラスト比を増加させるように該代表波長の対比波長を定めるステップと、
該代表波長及び該対比波長の光で該観察対象及び該背景を照射するステップと、を含む照明方法。
【請求項２】
該対比波長を求めるステップにおいて、該対比波長の使用禁止波長域を定め、該使用禁止波長域外で該対比波長を定める請求項１に記載の照明方法。
【請求項３】
該対比波長を求めるステップにおいて、該代表波長が一つの波長であり、該ｘｙ色度図において該代表波長と補色関係にある波長に最も近い波長を該対比波長とする請求項１または２に記載の照明方法。
【請求項４】
該対比波長を求めるステップにおいて、該代表波長が複数の波長であり、該ｘｙ色度図において該複数の代表波長を表す複数の点からの色差の和が最大となる点に対応する波長を該対比波長とする請求項１または２に記載の照明方法。
【請求項５】
該対比波長を求めるステップにおいて、該代表波長が複数の波長であり、該ｘｙ色度図において該複数の代表波長の平均波長と補色関係にある波長に最も近い波長を該対比波長とする請求項１または２に記載の照明方法。
【請求項６】
請求項１から５のいずれかに記載の照明方法を実施するための照明システムであって、
観察対象を照射する光源であって、分光分布特性を変化させることのできる、キセノン光源と複数のフィルタとを組み合わせたスペクトル可変光源と、
該観察対象の分光放射輝度を測定する分光放射輝度計と、
該分光放射輝度計に接続され該分光放射輝度計からの分光放射輝度に基づいて該可変光源の照明光の分光分布特性を定めるプロセッサと、を含む照明システム。
【発明の詳細な説明】
【技術分野】
【０００１】
本発明は、観察対象の視認性を向上させる照明方法及び照明システムに関する。
【背景技術】
【０００２】
医療分野における診断、製造業における製品検査などの際に対象に照明光を照射して観察が行われる。この場合に観察対象の視認性を向上させる照明光を選択するのが望ましい。従来、観察対象の視認性を向上させる照明光の選択は個々の観察者が主観に基づいて試行錯誤を繰り返しながら実施していた。
【０００３】
特許文献１は、照明の分光分布特性および色材の分光反射特性の制御に基づく照明光の効率的利用方法及び当該方法を利用した照明システムを開示している。しかし、特許文献１は、観察対象の視認性を向上させる照明光の選択について開示していない。
【０００４】
このように、観察者の主観及び試行錯誤に頼ることなく観察対象の視認性を向上させる照明方法及び照明システムは従来開発されていない。
【先行技術文献】
【特許文献】
【０００５】
【特許文献１】特開2014-135195号公報
【発明の概要】
【発明が解決しようとする課題】
【０００６】
したがって、観察者の主観及び試行錯誤に頼ることなく観察対象の視認性を向上させる照明方法及び照明システムに対するニーズがある。本発明の課題は、観察者の主観及び試行錯誤に頼ることなく観察対象の視認性を向上させる照明方法及び照明システムを提供することである。
【課題を解決するための手段】
【０００７】
本発明の第１の態様の照明方法は、観察対象及び背景の照明方法であって、等色関数からｘｙ色度図を求めるステップと、該観察対象の分光放射輝度を求め、該分光放射輝度から該観察対象の代表波長を定めるステップと、該代表波長及び該ｘｙ色度図から該観察対象及び該背景のコントラスト比を増加させるように該代表波長の対比波長を定めるステップと、該代表波長及び該対比波長の光で該観察対象及び該背景を照射するステップと、を含む。
【０００８】
本態様の照明方法によれば、該代表波長及び該ｘｙ色度図から該観察対象及び該背景のコントラスト比を増加させるように該代表波長の対比波長を定めるので観察者の主観及び試行錯誤に頼ることなく観察対象の視認性を向上させることができる。
【０００９】
本発明の第１の態様の第１の実施形態の照明方法は、観察者またはセンサに応じた等色関数を定めるステップをさらに含む。
【００１０】
本実施形態の照明方法によれば、観察者ごとに等色関数を求めるので観察者に固有の視認性を向上させることができる。また、カメラのカラーセンサの等色関数を求めるのでカメラで撮影した画像の観察対象及び背景のコントラスト比が向上する。
【００１１】
本発明の第１の態様の第２の実施形態の照明方法は、該代表波長を定めるステップにおいて、該観察対象の分光放射輝度の極大値に対応する波長から一つまたは複数の代表波長を定める。
【００１２】
本実施形態の照明方法によれば、観察対象の分光放射輝度から簡単に代表波長を定めることができる。
【００１３】
本発明の第１の態様の第３の実施形態の照明方法は、該対比波長を求めるステップにおいて、該代表波長が一つの波長であり、該ｘｙ色度図において該代表波長と補色関係にある波長を該対比波長とする。
【００１４】
本実施形態の照明方法によれば、ｘｙ色度図において代表波長と補色関係にある波長を対比波長とすることによって該観察対象及び該背景のコントラスト比を増加させることができる。
【００１５】
本発明の第１の態様の第４の実施形態の照明方法は、該対比波長を求めるステップにおいて、該対比波長の使用禁止波長域を定め、該使用禁止波長域外で、該ｘｙ色度図において該代表波長と補色関係にある波長に最も近い波長を該対比波長とする。
【００１６】
本実施形態の照明方法によれば、対比波長の使用禁止波長域を定めることによって画像に対する観察者の色の好みを反映させることができる。
【００１７】
本発明の第１の態様の第５の実施形態の照明方法は、該対比波長を求めるステップにおいて、該代表波長が複数の波長であり、該ｘｙ色度図において該複数の代表波長を表す複数の点からの色差の和が最大となる点に対応する波長を該対比波長とする。
【００１８】
本実施形態の照明方法によれば、ｘｙ色度図において複数の代表波長を表す複数の点からの色差の和が最大となる点に対応する波長を対比波長とすることによって該観察対象及び該背景のコントラスト比を増加させることができる。
【００１９】
本発明の第１の態様の第６の実施形態の照明方法は、該対比波長を求めるステップにおいて、該対比波長の使用禁止波長域を定め、該使用禁止波長域外で、該ｘｙ色度図において該複数の代表波長の平均波長と補色関係にある波長に最も近い波長を該対比波長とする。
【００２０】
本実施形態の照明方法によれば、対比波長の使用禁止波長域を定めることによって画像に対する観察者の色の好みを反映させることができる。
【００２１】
本発明の第２の態様の照明システムは上記の照明方法を実施するための照明システムであって、観察対象を照射する光源であって、分光分布特性を変化させることのできるスペクトル可変光源と、該観察対象の分光輝度を測定する分光輝度計と、該分光輝度計に接続され該分光輝度計からの分光放射輝度に基づいて該可変光源の照明光の分光分布特性を定めるプロセッサと、を含む。
【００２２】
本態様の照明システムによれば、上記の照明方法を実施することによって該代表波長及び該ｘｙ色度図から該観察対象及び該背景のコントラスト比を増加させるように該代表波長の対比波長を定めるので観察者の主観及び試行錯誤に頼ることなく観察対象の視認性を向上させることができる。
【図面の簡単な説明】
【００２３】
【図１】本発明の照明方法を実施するための照明システムの構成を示す図である。
【図２】本発明の照明方法を説明するための流れ図である。
【図３】等色関数から定めたｘｙ色度図を示す図である。
【図４】フィルタを付けていないキセノン光源の分光放射照度の相対値を示す図である。
【図５】観察対象及び背景はフィルタを付けていないキセノン光源によって照射された観察対象及び背景を示す画像である。
【図６】フィルタを付けていないキセノン光源によって照射された、図５において１と番号を付した観察対象の区画の分光放射輝度を示すグラフである。
【図７】フィルタを付けていないキセノン光源によって照射された、図５において２５と番号を付した背景の区画の分光放射輝度を示すグラフである。
【図８】図２のステップＳ１０４０を説明するための流れ図である。
【図９】代表波長（４７０ナノメータ）及び対比波長（５６０ナノメータ）の光で照射された、図５において１と番号を付した観察対象の区画の分光放射輝度を示すグラフである。
【図１０】代表波長（４７０ナノメータ）及び対比波長（５６０ナノメータ）の光で照射された、図５において２５と番号を付した背景の区画の分光放射輝度を示すグラフである。
【図１１】代表波長（４７０ナノメータ）及び対比波長（５６０ナノメータ）の光で照射された、観察対象及び背景を示す画像である。
【図１２】フィルタを付けていないキセノン光源によって照射された、図５において１と番号を付した観察対象の区画の分光放射輝度を示すグラフである。
【図１３】フィルタを付けていないキセノン光源によって照射された、図５において２５と番号を付した背景の区画の分光放射輝度を示すグラフである。
【図１４】フィルタを付けていないキセノン光源によって照射された、観察対象及び背景を示す画像である。
【図１５】等色関数から定めたｘｙ色度図を示す図である。
【図１６】二波長を代表値とした場合の図２のステップＳ１０４０を説明するための流れ図である。
【図１７】等色関数から定めたｘｙ色度図を示す図である。
【発明を実施するための形態】
【００２４】
図１は、本発明の照明方法を実施するための照明システム１００の構成を示す図である。照明システム１００は、光源部１１０と２次元分光放射輝度計１２０とプロセッサ１３０とを含む。光源部１１０は、複数のフィルタ交換式キセノン光源１１１と、ライトガイド１１３と、投光部１１５とを含む。複数のフィルタ交換式キセノン光源１１１によって複数の所望の波長の照明光が生成され、ライトガイド１１３を経由して投光部１１５へ送られ、投光部１１５からの照明光によって対象２００が照射される。一例として、複数のフィルタは、特定の波長の光を通過させるフィルタであり、特定の波長の間隔は１０ナノメータである。このように複数のフィルタ交換式キセノン光源１１１のフィルタを適切に選択することによって、光源部１１０はスペクトル可変光源として機能する。対象２００は観察対象及び背景である。２次元分光放射輝度計１２０は対象２００の分光放射輝度を測定する。測定された対象２００の分光放射輝度はプロセッサ１３０へ送られ、プロセッサ１３０によって観察対象と背景とのコントラストを強調し観察者の視認性を向上させる照明光が定められる。
【００２５】
図２は本発明の照明方法を説明するための流れ図である。
【００２６】
図２のステップＳ１０１０において観察者またはマシンビジョンなどのカメラのカラーセンサに応じた等色関数を定める。
【００２７】
まず、観察者の等色関数を定める場合について説明する。太陽光や白色ＬＥＤ光など一般的な白色光の下では観察者の色の感じ方の個人差は無視できるが、条件等色で光色を調整した照明光の下では観察者の色の感じ方の個人差は無視できない。そこで、観察者に固有の視認性を向上させるには観察者ごとに等色関数を求めるのが望ましい。しかし、観察者に固有の視認性を無視し、観察対象と背景とのコントラストを強調することによって標準的な観察者の視認性を向上させる場合には本ステップを省略して標準の等色関数を使用してもよい。
【００２８】
つぎに、カメラのカラーセンサの等色関数を定める場合について説明する。カメラのカラーセンサの等色関数は存在しないのでカメラのカラーセンサの等色関数を求める必要がある。
【００２９】
等色関数は等色実験によって定める。等色実験においては、単一波長の光を生成する光源及び原刺激のＲＧＢ光を組み合わせた光を生成する光源を準備する。上記の二台の光源として二組の光源部１１０を使用してもよい。上記の二台の光源によって、単一波長の光及び原刺激のＲＧＢ光を組み合わせた光で白いスクリーンの隣接する二領域を別々に照射し、上記の二領域の色を観察者または色度計（三刺激値読み取り型の色度計）が等色と判断するようにＲＧＢ光の光量を調整する。このようにして単一波長ごとに条件等色の値が決定され等色関数が定義される。
【００３０】
図２のステップＳ１０２０においてステップＳ１０１０で求めた等色関数または標準の等色関数からｘｙ色度図を求める。刺激値をＸ、Ｙ及びＺで表すと、色度値（ｘ、ｙ）は以下の式で表せる。
【数１】
0006842216.tif 000002
上記の式の刺激値に波長ごとの等色関数の値を代入してｘ、ｙを求めることによってｘｙ色度図が定まる。
【００３１】
図３は等色関数から定めたｘｙ色度図を示す図である。ｘｙ色度図の使用方法については後で説明する。
【００３２】
図２のステップＳ１０３０において観察対象の分光データ（分光放射輝度）を求め、分光データから観察対象の代表波長を定める。
【００３３】
観察対象の分光データを求めるために観察対象及び背景をキセノン光源１１１によって照射する。
【００３４】
図４はフィルタを付けていないキセノン光源１１１の分光放射照度の相対値を示す図である。図７の横軸は波長を示し、単位はナノメータである。図５の縦軸は分光放射照度の相対値を示す。
【００３５】
図５はフィルタを付けていないキセノン光源１１１によって照射された観察対象及び背景を示す画像である。画像は縦方向及び横方向に５分割され、２５の区画に分けられている。図５において１と番号を付した区画を含む濃い色の領域が観察対象の領域であり、図５において２５と番号を付した区画を含む薄い色の領域が背景の領域である。
【００３６】
図６は、フィルタを付けていないキセノン光源１１１によって照射された、図５において１と番号を付した観察対象の区画の分光放射輝度を示すグラフである。グラフの横軸は波長を示し、単位はナノメータである。グラフの縦軸は輝度を示し、単位はワット毎ステラジアン毎平方メートル毎ナノメートルである。
【００３７】
図６に示す観察対象の分光放射輝度から観察対象の代表波長を定める。代表波長は分光放射輝度の極大値に対応する波長から選択してもよい。図６の分光放射輝度の極大値に対応する波長は４７０ナノメータと７２０ナノメータである。上記の２波長のいずれかまたは両方を代表波長としてもよい。本実施形態では４７０ナノメータを観察対象の代表波長とする。
【００３８】
図２のステップＳ１０４０において代表波長及びｘｙ色度図から代表波長の対比波長を求める。
【００３９】
図７は、フィルタを付けていないキセノン光源１１１によって照射された、図５において２５と番号を付した背景の区画の分光放射輝度を示すグラフである。グラフの横軸は波長を示し、単位はナノメータである。グラフの縦軸は輝度を示し、単位はワット毎ステラジアン毎平方メートル毎ナノメートルである。図７において、フラフの実線は背景の区画の分光放射輝度を示し、破線は観察対象の区画の分光放射輝度を示す。観察対象の区画の分光放射輝度は図６に示したものと同じである。
【００４０】
仮に、背景が無色、または無彩色（白〜灰色）の場合、観察対象と背景とのコントラストを最大にする照明光分光分布は代表波長の光と、代表波長に対応する色と補色の関係の色に対応する波長の光と、の積で決定される。そこで、観察対象と背景とのコントラストを強調するために対比波長として代表波長に対応する色と補色の関係の色に対応する波長を選択することが考えられる。
【００４１】
他方、照明方法を使用する観察者が背景の色を調整したい場合も考えられる。一例として使用者が背景の赤みを少なくしたい場合には５７０ナノメータ以上を使用波長禁止域Ｄとしてもよい。
【００４２】
図８は図２のステップＳ１０４０を説明するための流れ図である。
【００４３】
図８のステップＳ２０１０において図３に示すｘｙ色度図においてスペクトル軌跡上の代表波長４７０ナノメータに対応する点Ａを定める。ここで、スペクトル軌跡とはｘｙ色度図の外周の曲線である。
【００４４】
図８のステップＳ２０２０において図３に示すｘｙ色度図において点Ａと白色点Ｗを結ぶ直線ＡＷを定める。
【００４５】
図８のステップＳ２０３０においてｘｙ色度図において直線ＡＷとスペクトル軌跡との交点Ｂを定める。点Ｂは代表波長の色と補色関係の色に対応する点である。また、点Ｂは代表波長４７０ナノメータに対応する点Ａからの色差が最大の点である。
【００４６】
図８のステップＳ２０４０において図３に示すｘｙ色度図において対比波長の使用禁止波長域に対応する領域Ｚを定める。
【００４７】
図８のステップＳ２０５０において図３に示すｘｙ色度図において、領域Ｚの外側のスペクトル軌跡上の点を点Ｃとして、直線ＡＢと直線ＡＣとのなす角度θを最小とする点Ｃを求め、点Ｃに対応する波長を対比波長とする。点Ｃに対応する波長は使用禁止波長域Ｚに含まれず、代表波長と補色関係の波長に最も近い波長である。ここで、本実施形態においてフィルタの波長の間隔は１０ナノメータであるので、対比波長は５６０ナノメータとする。
【００４８】
なお、図８のステップＳ２０１０−Ｓ２０２０５０を実施する際に、スペクトル軌跡を陰関数カーブフィッティングによって表現したものを使用してもよい。
【００４９】
図２のステップＳ１０５０において代表波長（４７０ナノメータ）及び対比波長（５６０ナノメータ）の光で観察対象及び背景を照射する。
【００５０】
図９は、代表波長（４７０ナノメータ）及び対比波長（５６０ナノメータ）の光で照射された、図５において１と番号を付した観察対象の区画の分光放射輝度を示すグラフである。図９のグラフの横軸は波長を示し、単位はナノメータである。図９の縦軸は分光放射輝度を示し、単位はワット毎ステラジアン毎平方メートル毎ナノメートルである。後で説明する図１０、図１２及び図１３のグラフの横軸及び縦軸についても同様である。
【００５１】
図１０は、代表波長（４７０ナノメータ）及び対比波長（５６０ナノメータ）の光で照射された、図５において２５と番号を付した背景の区画の分光放射輝度を示すグラフである。
【００５２】
図１１は、代表波長（４７０ナノメータ）及び対比波長（５６０ナノメータ）の光で照射された、観察対象及び背景を示す画像である。図１１において「front」は観察対象の領域を示し、「back」は背景の領域を示す。
【００５３】
図１２は、フィルタを付けていないキセノン光源によって照射された、図５において１と番号を付した観察対象の区画の分光放射輝度を示すグラフである。
【００５４】
図１３は、フィルタを付けていないキセノン光源によって照射された、図５において２５と番号を付した背景の区画の分光放射輝度を示すグラフである。
【００５５】
図１４は、フィルタを付けていないキセノン光源によって照射された、観察対象及び背景を示す画像である。図１４において「front」は観察対象の領域を示し、「back」は背景の領域を示す。
【００５６】
本発明の照明方法による図１１の画像における観察対象及び背景のＪＩＳに基づくコントラスト比は、従来の照明方法による図１４の画像における観察対象及び背景のＪＩＳに基づくコントラスト比と比較して３２．８％向上している。このように本発明の照明方法によって観察対象と背景とのコントラストを強調した観察に適した画像を提供することができる。
【００５７】
一般的に照射される面が均等拡散反射面である場合に、面の分光放射輝度は、その面への分光放射照度とその面の分光反射率との積である。したがって、対象の分光反射率を考慮して分光照度を定めることにより該対象の視認性を向上させることができる。
【００５８】
つぎに、他の実施形態として、図６の分光放射輝度のもう一つの極大値７２０ナノメータを代表値とした場合の対比波長の求め方を図８の流れ図にしたがって説明する。
【００５９】
図１５は等色関数から定めたｘｙ色度図を示す図である。
【００６０】
図８のステップＳ２０１０において図１５に示すｘｙ色度図においてスペクトル軌跡上の代表波長７２０ナノメータに対応する点Ａを定める。
【００６１】
図８のステップＳ２０２０においてｘｙ色度図において点Ａと白色点Ｗを結ぶ直線ＡＷを定める。
【００６２】
図８のステップＳ２０３０においてｘｙ色度図において直線ＡＷとスペクトル軌跡との交点Ｂを定める。点Ｂは代表波長と補色関係の波長に対応する点である。
【００６３】
本実施形態では、対比波長の使用禁止波長域に対応する領域Ｚを定めないので点Ｂに対応する波長を対比波長とする。対比波長は４９０ナノメータである。
【００６４】
つぎに、さらに他の実施形態として、図６の分光放射輝度の二つの極大値に対応する二波長４７０ナノメータ及び７２０ナノメータを代表値とした場合の対比波長の求め方を説明する。
【００６５】
図１６は二波長を代表値とした場合の図２のステップＳ１０４０を説明するための流れ図である。
【００６６】
図１７は等色関数から定めたｘｙ色度図を示す図である。
【００６７】
本実施形態では、図１７に示すｘｙ色度図において分光放射輝度の二つの極大値に対応するスペクトル軌跡の二波長を表す点の間の区間が白色点を取り囲んでいる。すなわち、白色点からスペクトル軌跡の二波長を表す点の間の区間を見込む角度が１８０度より大きい。
【００６８】
図１６のステップＳ３０１０において図１７のｘｙ色度図において代表波長７２０ナノメータ及び４７０ナノメータにそれぞれ対応する点Ａ及び点Ａ’を定める。
【００６９】
図１６のステップＳ３０２０において図１７のｘｙ色度図において点Ａと白色点Ｗを結ぶ直線ＡＷ及び点Ａ’と白色点Ｗを結ぶ直線Ａ’Ｗを定める。
【００７０】
図１６のＳ３０３０において図１７のｘｙ色度図において直線ＡＷとスペクトル軌跡との交点Ｐ及び直線Ａ’Ｗとスペクトル軌跡との交点Ｐ’を定める。スペクトル軌跡の点Ｐ及び点Ｐ’に間の区間に両方の波長に対して視認性を向上させる波長に対応する点が存在する。
【００７１】
図１６のＳ３０４０において図１７のｘｙ色度図においてスペクトル軌跡上で点Ｐ及び点Ｐ’の間を移動する点をＣとし、線分ＰＣの長さと線分Ｐ’Ｃの長さとの和を最大とする点Ｃを点Ｂとして、点Ｂに対応する波長を対比波長とする。点Ｂに対応する波長は５１５ナノメータである。ここで、点Ｂは点Ａからの色差と点Ａ’からの色差との和が最大となる点にほぼ相当する。本実施形態においてフィルタの波長の間隔は１０ナノメータであるので、対比波長は５２０ナノメータとする。
【００７２】
代表波長として三以上の波長を選択する場合も同様の手順で対比波長を定めることができる。
【００７３】
スペクトル軌跡の複数の波長を表す複数の点の座標間距離が０．１以下の場合には、該複数の波長の平均値を代表波長として図８に示した流れ図にしたがって対比波長を定めてもほぼ同様の結果が得られる。
【要約】
【課題】観察者の主観及び試行錯誤に頼ることなく観察対象の視認性を向上させる照明方法を提供する。
【解決手段】本発明の照明方法は、観察対象及び背景の照明方法であって、等色関数からｘｙ色度図を求めるステップと、該観察対象の分光放射輝度を求め、該分光放射輝度から該観察対象の代表波長を定めるステップと、該代表波長及び該ｘｙ色度図から該観察対象及び該背景のコントラスト比を増加させるように該代表波長の対比波長を定めるステップと、該代表波長及び該対比波長の光で該観察対象及び該背景を照射するステップと、を含む。
【選択図】図２【図１】
0006842216.tif 000003
【図２】
0006842216.tif 000004
【図３】
0006842216.tif 000005
【図４】
0006842216.tif 000006
【図５】
0006842216.tif 000007
【図６】
0006842216.tif 000008
【図７】
0006842216.tif 000009
【図８】
0006842216.tif 000010
【図９】
0006842216.tif 000011
【図１０】
0006842216.tif 000012
【図１１】
0006842216.tif 000013
【図１２】
0006842216.tif 000014
【図１３】
0006842216.tif 000015
【図１４】
0006842216.tif 000016
【図１５】
0006842216.tif 000017
【図１６】
0006842216.tif 000018
【図１７】
0006842216.tif 000019